(57)【要約】【課題】  イヤホンの振動に起因するハウリングが発生し難い補聴器を提供する。【解決手段】  マイクチューブ１を介してマイクロホン２を補聴器筐体３に取り付けると共に、マイクロホン２の音口に連通する補聴器筐体３の開口部に防水・防塵のための膜５を配置した補聴器であって、マイクチューブ１の側部１ａを環状に突出させた環状凸部７を設けてキャビティ４を形成した。また、環状凸部７を複数形成することができる。【選択図】        図１
2014160962.tif 000002
【特許請求の範囲】
【請求項１】
マイクチューブを介してマイクロホンを補聴器筐体に取り付けると共に、前記マイクロホンの音口に連通する補聴器筐体の開口部に防水・防塵のための膜を配置した補聴器であって、前記マイクチューブの側部を環状に突出させた環状凸部を設けてキャビティを形成したことを特徴とする補聴器。
【請求項２】
請求項１に記載の補聴器において、前記環状凸部の前記マイクチューブの軸方向の断面は、略三角形状であると共に、突出部の角の角度は９０°〜１７０°であることを特徴とする補聴器。
【請求項３】
請求項１又は２に記載の補聴器において、前記環状凸部が複数形成されていることを特徴とする補聴器。
【発明の詳細な説明】
【技術分野】
【０００１】
本発明は、マイクチューブを介してマイクロホンを筐体に取り付ける補聴器に関する。
【背景技術】
【０００２】
従来、マイクロホンの音口に連通する筐体の開口部に、防水・防塵のための膜を配置した補聴器が知られている。特許文献１には、マイクロホンの音口に防水膜を配置すると共に、マイクロホンをフェースプレートに直付けし、マイクロホン室の静圧を大気圧（筐体内圧）に調整するためのチューブを設けた耳あな型補聴器が記載されている。
【０００３】
また、特許文献２には、マイクロホンの音口に連通する筐体の開口部に防水膜を配置すると共に、イヤホンの振動が補聴器筐体を経由してマイクロホンに伝わらないようにするため、マイクチューブを介してマイクロホンを補聴器筐体に取り付けた耳かけ型補聴器が記載されている。
【先行技術文献】
【特許文献】
【０００４】
【特許文献１】特開２００６−２３７６９０号公報
【特許文献２】特開２００１−１８９９９７号公報
【発明の概要】
【発明が解決しようとする課題】
【０００５】
特許文献１に記載の耳あな型補聴器においては、イヤホンの振動が筐体（シェルとフェースプレート）を経由してマイクロホンに筐体の面に対して垂直方向の成分が伝搬したとき、マイクロホンは筐体に固定されているので筐体と共に振動するが、防水膜で開口部が塞がれているため、マイクロホン室の圧力が変化する。マイクロホン室と補聴器筐体内部を連通するチューブが配設されているが、このチューブは静圧調整用なので、可聴域における音響インピーダンスは十分に高い。
【０００６】
特許文献２に記載の耳かけ型補聴器においては、イヤホンの振動の筐体の面に対して垂直方向の成分がマイクチューブに伝搬したとき、マイクチューブを中心軸方向に振動させるので、端部に取り付けられたマイクロホンのマスのため、マイクチューブに中心軸方向の伸縮変形が生じる場合がある。その場合、マイクチューブ内の容積が変化するため、マイクチューブ内の圧力が変化する。
【０００７】
両者とも、マイクロホンの音口に配置した防水膜の音響インピーダンスは小さいので、マイクロホン室またはマイクチューブ内の圧力変化が小さい場合は問題ないが、圧力変化が大きいと、マイクロホンがこの圧力変化を音圧として検知してしまう場合があり、ハウリングの原因となっていた。
【０００８】
圧力変化が小さい場合でも、補聴処理を高利得に設定すると、マイクロホンが圧力変化を検知する場合があり、ハウリングの原因となっていた。また、防水膜に水滴が付着すると、マイクロホンの音口の音響インピーダンスが高くなり、小さな圧力変化でもマイクロホンが検知してしまう場合がある。
【０００９】
本発明は、従来の技術が有するこのような問題点に鑑みてなされたものであり、その目的とするところは、イヤホンの振動に起因するハウリングが発生し難い補聴器を提供しようとするものである。
【課題を解決するための手段】
【００１０】
上記課題を解決すべく請求項１に係る発明は、マイクチューブを介してマイクロホンを補聴器筐体に取り付けると共に、前記マイクロホンの音口に連通する補聴器筐体の開口部に防水・防塵のための膜を配置した補聴器であって、前記マイクチューブの側部を環状に突出させた環状凸部を設けてキャビティを形成したものである。
【００１１】
前記環状凸部の前記マイクチューブの軸方向の断面は、略三角形状であると共に、突出部の角の角度は９０°〜１７０°とすることができる。また、前記環状凸部を複数形成することができる。
【発明の効果】
【００１２】
本発明によれば、マイクロホンの音口に連通する補聴器筐体の開口部に防水・防塵のための膜を取り付けた補聴器において、補聴処理を高利得に設定してもハウリングが発生し難くすることができる。また、防水・防塵のための膜に水滴などが付着しても、ハウリングが発生し難くい。
【図面の簡単な説明】
【００１３】
【図１】本発明に係る補聴器の概念図
【図２】マイクチューブの説明図で、（ａ）は要部外観図、（ｂ）は要部断面図
【図３】マイクチューブの作用説明図
【図４】角度αとキャビティの容積との関係を示す図
【図５】マイクチューブの他の実施例の要部断面図
【図６】本発明を適用した耳あな型補聴器の概要説明図
【発明を実施するための形態】
【００１４】
以下に本発明の実施の形態を添付図面に基づいて説明する。本発明に係る補聴器は、図１に示すように、弾性部材からなるマイクチューブ１を介してマイクロホン２を補聴器筐体３に取り付けている。そして、マイクチューブ１の側部１ａの一部を環状に突出させることにより、マイクチューブ１の内部には、キャビティ４が形成されている。
【００１５】
キャビティ４は、マイクチューブ１の側部１ａに断面が略三角形状に突出する環状凸部７を形成することにより実現することができる。膜５はマイクロホン２の音口に連通する補聴器筐体３の開口部に取り付けられた防水・防塵のためのものである。鍔部６はマイクチューブ１を回転しないように補聴器筐体３に取り付けるための鍔である。
【００１６】
図２に示すように、環状凸部７の各角７ａ付近の厚さは、その他の部分と比べて薄くしている。環状凸部７は、マイクチューブ１の中心軸方向の外力を受けると、各角７ａが曲がることにより変形し易い構造となっている。
【００１７】
図３に示すように、マイクチューブ１の円筒部分に比べて環状凸部７が十分に変形し易い場合には、マイクチューブ１が縮む方向に力が作用したときは、環状凸部７が中心軸方向（矢印Ａ方向）に潰されて半径方向（矢印Ｂ方向）に広がるように変形し、マイクチューブ１が伸びる方向に力が作用したときは、環状凸部７が中心軸方向（矢印Ａ方向）に伸びて半径方向（矢印Ｂ方向）に窄まるように変形する。なお、αは環状凸部７の各角７ａの角度である。
【００１８】
マイクチューブ１の円筒部分に比べて環状凸部７が十分に変形し易く、マイクチューブ１の内径に対して環状凸部７の斜辺部の長さが半分程度である場合には、図４に示すように、角度αが９０°近傍では、イヤホンから生じる振動程度の力による変形の範囲においては、角度αの変化に対してキャビティ４の容積がほとんど変化しないため、マイクチューブ１内の圧力変化をほとんど無くすことができる。
【００１９】
ところで、図４に示すように、マイクチューブ１の内径に対して環状凸部７の斜辺部の長さが半分程度である場合には、角度αが１２０°〜１８０°付近においては、角度αの減少に対して環状凸部７の容積増加していることがわかる。
【００２０】
つまり、環状凸部７が中心軸方向に潰れるとキャビティ４の容積が増えることとなる。このように、角度αを１７０°程度とすれば、マイクチューブ１の円筒部分と環状凸部７が変形し易さが同程度である場合であっても、マイクチューブ１内の圧力変化をほとんど無くすことができる。すなわち、マイクチューブ１の円筒部分の容積変化をキャビティ４の容積変化がキャンセルするように作用する。
【００２１】
また、マイクチューブ１の円筒部分に比べて環状凸部７が十分に変形し易い場合で、マイクチューブ１の内径に対して環状凸部７の斜辺部の長さが１／１０程度である場合には、角度αが１８０°近傍では、角度αの変化に対してキャビティ４の容積がほとんど変化しなくなる。
【００２２】
要求される仕様に応じて、マイクチューブ１の円筒部分と環状凸部７の変形のし易さや、マイクチューブ１の内径と環状凸部７の斜辺部の長さの関係を設定することにより、マイクチューブ１内の圧力変化を抑制することができる。
【００２３】
本実施例においては、マイクチューブ１の円筒部分に比べて環状凸部７が十分に変形し易く、マイクチューブ１の内径に対して環状凸部７の斜辺部の長さが半分程度である場合について説明する。
【００２４】
環状凸部７の形状としては、マイクチューブ１に伸縮力がかからない状態で、角度αが９０°程度であるのが良い。また、環状凸部７には、中心軸方向（矢印Ａ方向）に沿った襞７ｂを設けることによりマイクチューブ１の半径方向（矢印Ｂ方向）に広がり易い構造にしている。
【００２５】
更に、キャビティ４としては、図５に示すように、マイクチューブ１の側部１ａに断面が略三角形状の環状凸部７を複数（例えば、２個）形成してもよい。
【００２６】
本発明を適用した耳あな型補聴器１０は、図６に示すように、補聴器筐体をシェル１１と共に構成するフェースプレート１２にキャビティ４を形成したマイクチューブ１を介してマイクロホン２を取り付けている。なお、電池やＤＳＰなどの補聴器が備える一般的な構成要素については図示を省略している。
【００２７】
フェースプレート１２には貫通孔１６が形成され、貫通孔１６の補聴器内部側にマイクチューブ１を接着固定し、外界側に防水チップ１９を嵌め付けている。また、フェースプレート１２に接着固定されるシェル１１の先端には、イヤホン１７が取り付けられている。
【００２８】
防水チップ１９には、防水膜１８が張設されている。マイクロホン２の前室からマイクチューブ１を経由して防水膜１８に至る空間によりマイクロホン室２０が形成されている。マイクロホン室２０の静圧調整用のチューブは不図示とする。
【００２９】
以上のように構成された耳あな型補聴器１０において、イヤホン１７による振動の筐体の面に対して垂直方向の成分が、シェル１１とフェースプレート１２を経由してマイクロホン室２０を形成するマイクチューブ１に伝わると、この振動はマイクチューブ１を中心軸方向に振動させるため、端部に取り付けられたマイクロホン２のマスにより、マイクチューブ１を中心軸方向に伸縮させる力が働き、マイクチューブ１のキャビティ４を形成する環状凸部７が変形する。
【００３０】
キャビティ４を形成する環状凸部７の突出部の角７ａの角度αを９０°にすることで、図３に示すように、マイクチューブ１に対して中心軸方向（矢印Ａ方向）に縮める力が作用したとき、マイクチューブ１の直線部分は変形せず、環状凸部７の各角７ａが折れ曲がるように変形し、環状凸部７は半径方向（矢印Ｂ方向）に広がるため、キャビティ４の容積はほとんど変化しない。
【００３１】
また、マイクチューブ１に対して中心軸方向（矢印Ａ方向）に伸びる力が作用したときにも、マイクチューブ１の直線部分は変形せず、環状凸部７の各角７ａの角度αが広がるように変形し、環状凸部７は半径方向（矢印Ｂ方向）に窄まるため、キャビティ４はほとんど変化しない。
【００３２】
従って、マイクチューブ１に対して中心軸方向（矢印Ａ方向）に伸縮させる力が作用しても、マイクチューブ１内の圧力変化を抑制することができる。また、環状凸部７に設けた中心軸方向（矢印Ａ方向）に沿った襞７ｂにより、環状凸部７の突出部が形成する外周円が、広がったり狭まったりすることができる。
【００３３】
このように、マイクチューブ１のキャビティ４を形成する部分が変形することで、マイクチューブ１内の圧力変化を抑制することができる。
【００３４】
従って、防水膜１８に水滴が付着しても、イヤホン１７の振動に起因するマイクチューブ１内の圧力変化を抑制することができるので、ハウリングが発生し難く、補聴処理のゲインを高利得に設定することができる。
【００３５】
本発明の実施の形態では、本発明を耳あな型補聴器１０に適用した場合について説明したが、耳かけ型補聴器にも本発明を適用することができる。作用・効果については、耳あな型補聴器１０の場合と同様である。
【産業上の利用可能性】
【００３６】
本発明によれば、マイクロホンの音口に連通する筐体の開口部に防水・防塵のための膜を取り付けても、補聴処理のゲインを高利得に設定することができると共に、防水・防塵のための膜に水滴などが付着しても、ハウリングが発生し難くい補聴器を提供することができる。
【符号の説明】
【００３７】
１…マイクチューブ、１ａ…側部、２…マイクロホン、３…補聴器筐体、４…キャビティ、５…膜、７…環状凸部、７ａ…突出部の角、７ｂ…襞、１０…耳あな型補聴器、１１…シェル、１２…フェースプレート、１５…音口、１７…イヤホン、１８…防水膜、１９…防水チップ、２０…マイクロホン室、α…角度。
【図１】
2014160962.tif 000003
【図２】
2014160962.tif 000004
【図３】
2014160962.tif 000005
【図４】
2014160962.tif 000006
【図５】
2014160962.tif 000007
【図６】
2014160962.tif 000008